(57)【特許請求の範囲】
【請求項１】
人の口または鼻から飛散される飛沫の拡散を防止する飛沫拡散防止カバーにおいて、
透光性を有する柔軟な樹脂材が予め筒状に成形されたシート材からなり、前記筒の軸方向一端部に少なくとも人の顔を入れるための開口部を有する筒状カバー本体と、
前記筒状カバー本体の前記軸方向他端部における幅方向一側に設けられ、前記筒状カバー本体内に通じる筒状をなし、医療従事者の一方の手を挿入可能な第１筒部と、
前記筒状カバー本体の前記軸方向他端部における幅方向他側に設けられ、前記筒状カバー本体内に通じる筒状をなし、医療従事者の他方の手を挿入可能な第２筒部とを備え、
前記第１筒部及び前記第２筒部は、前記筒状カバー本体の幅方向に間隔をあけて設けられ、前記筒状カバー本体の前記軸方向他端部から前記軸方向に沿う方向へ突出した状態で前記筒状カバー本体と共に一体成形されていることを特徴とする飛沫拡散防止カバー。
【請求項２】
請求項１に記載の飛沫拡散防止カバーにおいて、
前記筒状カバー本体における前記第１筒部と前記第２筒部との間には、医療従事者の首に掛けることが可能な首掛け部が記筒状カバー本体と共に一体成形されていることを特徴とする飛沫拡散防止カバー。
【請求項３】
請求項１または２に記載の飛沫拡散防止カバーにおいて、
前記第１筒部の先端部及び前記第２筒部の先端部には、医療従事者の手の指を挿入可能な指挿入口が形成されていることを特徴とする飛沫拡散防止カバー。
【請求項４】
請求項１から３のいずれか１つに記載の飛沫拡散防止カバーにおいて、
前記第１筒部及び前記第２筒部の相対向する側の端部、並びに前記第１筒部と前記第２筒部との間の前記筒状カバー本体の前記軸方向他端部は、前記シート材が厚み方向に重なった状態で溶着されていることを特徴とする飛沫拡散防止カバー。
【請求項５】
請求項１から４のいずれか１つに記載の飛沫拡散防止カバーにおいて、
前記第１筒部及び前記第２筒部の先端部には手袋が一体成形されていることを特徴とする飛沫拡散防止カバー。
【請求項６】
人の口または鼻から飛散される飛沫の拡散を防止する飛沫拡散防止カバーの製造方法において、
透光性を有する柔軟な樹脂材が予め筒状に成形されたシート材を裁断することにより、前記筒の軸方向一端部に少なくとも人の顔を入れるための開口部を有する筒状カバー本体と、前記筒状カバー本体の前記軸方向他端部における幅方向一側に設けられ、前記筒状カバー本体内に通じる筒状をなし、医療従事者の一方の手を挿入可能な第１筒部と、前記筒状カバー本体の前記軸方向他端部における幅方向他側に設けられ、前記筒状カバー本体内に通じる筒状をなし、医療従事者の他方の手を挿入可能な第２筒部とを形成する裁断工程を備え、
前記裁断工程では、前記第１筒部及び前記第２筒部を、前記筒状カバー本体の幅方向に間隔をあけるとともに、前記筒状カバー本体の前記軸方向他端部から前記軸方向に沿う方向へ突出した状態で前記筒状カバー本体と共に一体で得ることを特徴とする飛沫拡散防止カバーの製造方法。
【請求項７】
請求項６に記載の飛沫拡散防止カバーの製造方法において、
前記裁断工程の後、前記第１筒部及び前記第２筒部の相対向する側の端部、並びに前記第１筒部と前記第２筒部との間の前記筒状カバー本体の前記軸方向他端部を、前記シート材が厚み方向に重なった状態で溶着する溶着工程をさらに備えていることを特徴とする飛沫拡散防止カバーの製造方法。
【発明の詳細な説明】
【技術分野】
【０００１】
本発明は、人から飛散した飛沫が広範囲に拡散するのを防止する飛沫拡散防止カバー及びその製造方法に関する。
【背景技術】
【０００２】
例えば新型コロナウイルスやインフルエンザウイルス等の感染症は、ウイルスを保有している患者からの飛沫によって他者に感染することが知られている。しかし、医療従事者等は感染症にかかっている患者と対面して接する必要があるとともに、ウイルスを保有しているが症状が出ていない潜在的な患者とも同様に接する場合が多くあり、感染のリスクが比較的高い。
【０００３】
そこで、対面での診察等の際に用いることが可能な飛沫防御用具として、例えば特許文献１に開示されているものが知られている。特許文献１の飛沫防御用具は、全体が透明なドーム型であって、頂部が吊り下げ金具によって保持され、下に開口部が形成されている。使用時には、飛沫防御用具を吊り下げた状態で下の開口部から頭及び肩を入れることにより、頭及び肩を飛沫防御用具によって覆うことができるようになっている。
【先行技術文献】
【特許文献】
【０００４】
【特許文献１】登録実用新案第３２２８１２０号公報
【発明の概要】
【発明が解決しようとする課題】
【０００５】
ところで、特許文献１の飛沫防御用具は、下に向かって拡大した形状のドーム型であるとともに、下の全体が開口しているので、飛沫防御用具によって頭部が覆われていたとしても、顔と飛沫防御用具の内面との間には空間ができており、その空間が下の開口部にまで達して外部と連通しているので、例えばくしゃみや咳をした時に飛散した飛沫が下の開口部から外部へ放出されるおそれがある。
【０００６】
また、特許文献１の飛沫防御用具は、吊り下げて使用することが前提となっているので、対象となる人の姿勢としては、座った姿勢か、立った姿勢に限定される。
【０００７】
さらに、特許文献１のような飛沫防御用具は、感染拡大を防止するためにも使い捨てが望ましいが、使い捨てとする場合にはコストが問題となる。
【０００８】
本発明は、かかる点に鑑みてなされたものであり、その目的とするところは、低コストで、かつ、様々な姿勢の人に対して使用可能であるとともに、飛沫の拡散を防止可能な飛沫拡散防止カバーを提供することにある。
【課題を解決するための手段】
【０００９】
上記目的を達成するために、本開示は、人の口または鼻から飛散される飛沫の拡散を防止する飛沫拡散防止カバーを前提とすることができる。そして、飛沫拡散防止カバーは、透光性を有する柔軟な樹脂材が予め筒状に成形されたシート材からなり、前記筒の軸方向一端部に少なくとも人の顔を入れるための開口部を有する筒状カバー本体と、前記筒状カバー本体の前記軸方向他端部における幅方向一側に設けられ、前記筒状カバー本体内に通じる筒状をなし、医療従事者の一方の手を挿入可能な第１筒部と、前記筒状カバー本体の前記軸方向他端部における幅方向他側に設けられ、前記筒状カバー本体内に通じる筒状をなし、医療従事者の他方の手を挿入可能な第２筒部とを備えている。前記第１筒部及び前記第２筒部は、前記筒状カバー本体の幅方向に間隔をあけて設けられ、前記筒状カバー本体の前記軸方向他端部から前記軸方向に沿う方向へ突出した状態で前記筒状カバー本体と共に一体成形されている。
【００１０】
この構成によれば、筒状カバー本体の開口部から人の頭を入れると、筒状カバー本体が柔軟な樹脂材で構成されているので、開口部を閉じるように変形させることができ、これにより、口や鼻から飛散した飛沫が開口部から外部へ拡散されにくくなる。また、筒状カバー本体によって覆われている患者の顔に対して医療従事者が何らかの処置を行う際、一方の手を第１筒部に、他方の手を第２筒部に挿入することで、両手を筒状カバー本体内まで入れることができる。これにより、筒状カバー本体内で患者に各種処置を行うことが可能になる。この処置の際には飛沫が飛散することがあるが、処置は全て筒状カバー本体内で行われているので外部への拡散が抑制される。これは人が寝ていても、座っていても、立っていても同様である。
【００１１】
筒状カバー本体、第１筒部及び第２筒部は、予め筒状に成形されたシート材を用いて一体成形されている。すなわち、予め筒状に成形されたシート材を軸方向の寸法が所定寸法となるように切断するだけで、一端部に開口部を形成できる。また、筒状カバー本体の材料となるシート材が予め筒状であることから、筒状カバー本体の周囲に溶着等を施さなくても気密性の高い筒状構造が得られる。さらに、第１筒部及び第２筒部が筒状カバー本体から軸方向に突出した状態で筒状カバー本体と共に一体成形されているので、製造時には、シート材を、第１筒部、第２筒部及び筒状カバー本体を有する形状に切り抜けばよく、第１筒部、第２筒部及び筒状カバー本体を別々に用意して溶着等する必要がない。よって、飛沫拡散防止カバーの製造コストの低減化を図ることができる。
【００１２】
また、前記第１筒部と前記第２筒部とは、前記筒状カバー本体の幅方向に間隔をあけて設けられており、前記筒状カバー本体における前記第１筒部と前記第２筒部との間には、医療従事者の首に掛けることが可能な首掛け部が記筒状カバー本体と共に一体成形されていてもよい。
【００１３】
この構成によれば、医療従事者が首掛け部を首に掛けることで、筒状カバー本体の一部を患者の顔から挙げて顔と筒状カバー本体内面との間に空間を確保できる。これにより、医療従事者が患者の口や鼻に対して各種処置を容易に行うことができる。
【００１４】
また、前記第１筒部の先端部及び前記第２筒部の先端部には、医療従事者の手の指を挿入可能な指挿入口が形成されていてもよい。
【００１５】
この構成によれば、医療従事者が第１筒部に腕を入れた状態で指を指挿入孔に挿入することで、第１筒部の先端が腕の上の方へ上がってくるのを防止することができ、第１筒部によって腕を手首付近まで覆っておくことができる。第２筒部も同様である。
【００１６】
また、前記第１筒部及び前記第２筒部側の相対向する側の端部、並びに前記第１筒部と前記第２筒部との間の前記筒状カバー本体の前記軸方向他端部は、前記シート材が厚み方向に重なった状態で溶着されていてもよい。
【００１７】
すなわち、予め筒状に成形されたシート材を切断することによって第１筒部の外形状を得た場合、第１筒部及び第２筒部の相対向する側の端部、並びに前記第１筒部と前記第２筒部との間の前記筒状カバー本体の前記軸方向他端部は、シート材が厚み方向に重なっただけとなっており、開放されてしまう。これに対し、本構成によれば、シート材が厚み方向に重なった部分の端部を溶着によって封止することで、当該部分の機密性を得ることができる。
【００１８】
また、第１筒部及び第２筒部の先端部に、医療従事者の手を入れる手袋が一体成形されていてもよい。これにより、感染防止効果がより一層高まる。
【００１９】
また、前記飛沫拡散防止カバーの製造方法において、透光性を有する柔軟な樹脂材が予め筒状に成形されたシート材を裁断することにより、前記筒状カバー本体と、前記第１筒部と、前記第２筒部とを形成する裁断工程を備えていることを特徴とすることができる。裁断工程の後、前記第１筒部及び前記第２筒部の相対向する側の端部、並びに前記第１筒部と前記第２筒部との間の前記筒状カバー本体の前記軸方向他端部を、前記シート材が厚み方向に重なった状態で溶着する溶着工程をさらに備えていてもよい。
【００２０】
また、本発明の第１筒部及び第２筒部の先端部の形状は、医療従事者がゴム手袋等を装着することで、繊細な医療業務の遂行とウイルス暴露からの防御との両方が可能になっている。
【発明の効果】
【００２１】
以上説明したように、予め筒状に成形されたシート材を用いて筒状カバー本体、第１筒部及び第２筒部を一体成形したので、飛沫拡散防止カバーの製造コストを低減化できる。また、筒状カバーが柔軟な樹脂材からなるものなので、開口部から顔を入れた後に、開口部を閉じることができる。よって、様々な姿勢の人に対して適用して飛沫の拡散を防止できる。
【図面の簡単な説明】
【００２２】
【図１】本発明の実施形態に係る飛沫拡散防止カバーの平面図である。
【図２】飛沫拡散防止カバーの第１筒部の先端部近傍の拡大斜視図である。
【図３】飛沫拡散防止カバーの使用状態を示す図である。
【図４Ａ】長尺状の筒状シートの平面図である。
【図４Ｂ】所定寸法に切断した筒状シートの斜視図である。
【図５】裁断後の筒状シートの平面図である。
【図６】医療従事者が飛沫拡散防止カバーを着けた状態を示す正面図である。
【図７】飛沫拡散防止カバーによって覆われた患者を処置する状況を説明する図である。
【発明を実施するための形態】
【００２３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２４】
図１は、本発明の実施形態に係る飛沫拡散防止カバー１の平面図である。飛沫拡散防止カバー１は、人の口または鼻から飛散される飛沫の拡散を防止するためのものであり、全体が透光性を有する柔軟な樹脂材で構成されている。飛沫拡散防止カバー１は、例えば新型コロナウイルスやインフルエンザウイルス等の感染症に感染した患者、感染が疑われる者に対して使用することができるが、そのようなウイルスに感染していない者に対して検査や医療的な処理を施す際に使用することもでき、対象者は特に限定されるものではない。
【００２５】
飛沫拡散防止カバー１は、筒状カバー本体２と、第１筒部３と、第２筒部４と、首掛け部５とを備えている。筒状カバー本体２は、詳細は後述するが予め筒状に成形されたシート材からなる部分である。筒状カバー本体２は、筒状に成形されたシート材からなる部分なので、前記筒の軸方向を定義することができる。また、平面視で、筒状カバー本体２の軸方向と直交する方向を筒状カバー本体２の幅方向と定義することができ、筒状カバー本体２の幅方向は左右方向と呼ぶこともできる。尚、この実施形態では、図１に示すように、前記軸方向を上下方向として軸方向一側を「下側」、軸方向他側を「上側」というものとし、また、幅方向一側を「左側」、幅方向他側を「右側」というものとするが、これは説明の便宜を図るために定義するだけであり、実際の使用状態や製造時の向きを限定するものではない。
【００２６】
筒状カバー本体２の上下方向（軸方向）の寸法Ａは、例えば５０ｃｍ以上１２０ｃｍ以下の範囲で任意に設定することができる。また、筒状カバー本体２の左右方向（幅方向）の寸法Ｂは、例えば５０ｃｍ以上１２０ｃｍ以下の範囲で任意に設定することができる。
【００２７】
筒状カバー本体２の下端部には、開口部２ａが形成されている。この開口部２ａは、少なくとも人の顔を入れるためのものであり、一般的な成人男性の顔を入れることが可能な径を有していればよい。開口部２ａの大きさは、顔、頭、両肩及び胸部までを入れることが可能な大きさにするのが好ましい。この実施形態では、開口部２ａが筒状カバー本体２の下端部の全体に開口している。
【００２８】
第１筒部３は、筒状カバー本体２の上端部における左側に設けられている。第１筒部３は、筒状カバー本体２内に通じる筒状をなしており、医療従事者の一方の手を挿入可能な径を有している。第１筒部３の径は、例えば１５ｃｍ以上３０ｃｍ以下の範囲で任意に設定することができる。この実施形態では、第１筒部３の基端部（付け根）から先端部に近づくほど第１筒部３の径が小さくなるように形成されている。また、第１筒部３の基端部から先端部までの長さ寸法Ｃは、５０ｃｍ以上１００ｃｍ以下の範囲で任意に設定することができる。飛沫拡散防止カバー１の上下方向の寸法は、寸法Ａと寸法Ｃとを合わせた寸法である。
【００２９】
図２にも示すように、第１筒部３の先端部には、医療従事者の手を入れることができる手挿入口３ａが開口している。手挿入口３ａの周囲は、第１筒部３の先端部を環状の空間部ができるように折り返すとともに当該空間部に輪状のゴム３ｂを収納して折り返し部の端縁を第１筒部３に溶着している。ゴム３ｂの径は、一般的な成人男性の手首の径よりも小さく設定されており、ゴム３ｂを手挿入口３ａの周囲に取り付けることで、手挿入口３ａの径を一般的な成人男性の手首の径よりも小さくすることができ、これにより、手挿入口３ａの周縁部を手首に密着させることができる。手を手挿入口３ａに入れたり、手挿入口３ａから出したりする際には、ゴム３ｂを伸ばすことによって、手挿入口３ａの径を一時的に拡大させることができるので、手の出し入れは容易に行える。尚、ゴム３ｂは省略してもよい。
【００３０】
第１筒部３の先端部近傍、即ち手挿入口３ａの近傍には、医療従事者の手の指を挿入可能な指挿入口３ｃが形成されている。指挿入口３ｃは、例えば円形に形成することができるが、円形以外の形状であってもよい。指挿入口３ｃの径は、例えば１０ｍｍ以上３０ｍｍ以下の範囲で任意に設定することができる。指挿入口３ｃは、第１筒部３の周方向に互いに間隔をあけて配置されている。この実施形態では、２つの指挿入口３ｃを形成しているが、これに限らず、指挿入口３ｃの数は４つであってもよい。複数の指挿入口３ｃを形成する場合、形状や大きさを互いに変えてもよい。２つの指挿入口３ｃがある場合、親指と小指を挿入することができる。
【００３１】
第２筒部４は、筒状カバー本体２の上端部における右側に設けられ、筒状カバー本体２内に通じる筒状をなし、医療従事者の他方の手を挿入可能な部分である。この実施形態では、第２筒部４は、第１筒部３と左右対称な形状である。第２筒部４も、第１筒部３と同様にゴム４ｂと指挿入口４ｃとを有している。第１筒部３と第２筒部４の長さや径は同じであるが、互いに異なっていてもよい。
【００３２】
なお、図１において、第１筒部３に形成した指挿入口３ｃを１つしか示していないが、この第１筒部３は２枚のシートが重なった状態で指挿入口３ｃが裁断時に開口されているため、該第１筒部３を筒状に広げた状態では指挿入口３ｃは２つ形成されることとなる。このことは、第２筒部４の指挿入口４ｃについても同様である。
【００３３】
第１筒部３及び第２筒部４は、筒状カバー本体２の上端部から突出した状態で筒状カバー本体２と共に一体成形されている。すなわち、第１筒部３は、筒状カバー本体２の上端部における左側から上方へ向けて突出する一方、第２筒部４は、筒状カバー本体２の上端部における右側から上方へ向けて突出している。そして、第１筒部３と第２筒部４とは、筒状カバー本体２の左右方向に間隔をあけて設けられている。
【００３４】
首掛け部５は、医療従事者の首に掛けることが可能な輪状をなしており、筒状カバー本体２の上端部に設けられている。具体的には、筒状カバー本体２の上端部において第１筒部３と第２筒部４との間に、上記首掛け部５が位置している。首掛け部５は、筒状カバー本体２と一体成形されており、筒状カバー本体２の上端部から上方へ突出した形状となっている。首掛け部５の内径は、一般的な成人男性の頭部を通過させることができる程度の大きさに設定されており、例えば左右方向の最大寸法が２０ｃｍ〜３０ｃｍ程度、上下方向の最大寸法が１５ｃｍ〜２０ｃｍ程度である。また、首掛け部５は、後述するように飛沫拡散防止カバー１を使用して患者に対する各種の処置が終了した後、当該飛沫拡散防止カバー１の筒状カバー本体２を下方へ引っ張って医療従事者から取り外す際、切断可能な（引きちぎれる）ように、その幅を設定、あるいはノッチ等を形成する。
【００３５】
図１における符号３０で示す直線は左側溶着部であり、符号４０で示す直線は右側溶着部である。また、図１における符号５０で示す直線は中間溶着部であり、符号５１で示す直線は上側溶着部である。詳細は後述するが、製造時には、樹脂製筒状シートを平面状態に畳んで２枚重ねにして該筒状シートを裁断機（図示せず）によって切断することにより厚み方向に重なった２枚の樹脂製シートを裁断して図１に示すような形状を得るのであるが、裁断によって生じた開放端において２枚の樹脂製シートを溶着することによって左側溶着部３０、右側溶着部４０及び中間溶着部５０を形成する。左側溶着部３０は、第１筒部３の右端部に沿って上下方向に延びており、この左側溶着部３０によって第１筒部３の右端部に位置する２枚の樹脂製シートを接合し、第１筒部３を得ることができる。また、右側溶着部４０は、第２筒部４の左端部に沿って上下方向に延びており、この右側溶着部４０によって第２筒部４の左端部に位置する２枚の樹脂製シートを接合し、第２筒部４を得ることができる。また、中間溶着部５０は、左側溶着部３０の下端部から右側溶着部４０の下端部まで延びている。この中間溶着部５０によって筒状カバー本体２の上端部、即ち首掛け部５の付け根の部分に位置する２枚の樹脂製シートを接合し、筒状カバー本体２を袋状にすることができる。さらに、上側溶着部５１は、首掛け部５の上部を構成している２枚の樹脂製シートを接合してまとめるためのものである。
【００３６】
（飛沫拡散防止カバーの製造方法）
次に、飛沫拡散防止カバー１の製造方法について説明する。図４Ａに示すように、長尺状の筒状シートＳを用意する。筒状シートＳは、例えば数十ｍ以上の長さを有しており、ロール状に巻かれて保管されている。図４Ａの上下方向が筒状シートＳの長手方向であり、図４Ａの左右方向が筒状シートＳの幅方向である。筒状シートＳの幅方向の寸法は、飛沫拡散防止カバー１の幅方向の寸法、即ち筒状カバー本体２の幅方向の寸法と同じである。一方、筒状シートＳの長手方向の寸法は、飛沫拡散防止カバー１の上下方向の寸法よりも大幅に長く設定されている。
【００３７】
筒状シートＳを用意した後、所定の長さに裁断機で切断する。所定の長さは、飛沫拡散防止カバー１の上下方向の寸法のことであり、図１に示す寸法Ａと寸法Ｃとを合わせた寸法である。このように切断した部材を素材シート１００と呼ぶ。図４Ｂに示すように、素材シート１００は、筒状シートＳを切断しただけのものなので両端が開口した筒状をなしている。筒状カバー本体２の開口部２ａは、筒状シートＳを切断した時にできるので、開口部２ａを後工程で形成する必要はない。第１筒部３及び第２筒部４の先端の開口、すなわち、手挿入口３a及び手挿入口４aも同様に筒状シートＳを切断した時にできる。
【００３８】
素材シート１００を複数枚重ねた後、裁断機によって所定形状に裁断する。すなわち、図５に示すように、素材シート１００における上下方向中央部よりも上側領域の左右方向中間部分１０１を除去するとともに、首掛け部５となる領域の内側部分１０２を除去する。素材シート１００の中間部分１０１を除去することで、素材シート１００は、第１筒部３と第２筒部４、及び首掛け部５を備えた略凹状の形状となる。また、素材シート１００の内側部分１０２を除去することで、輪状の首掛け部５が形成される。つまり、素材シート１００が飛沫拡散防止カバー１の外形状となるように、中間部分１０１及び内側部分１０２を除去する。中間部分１０１及び内側部分１０２は、別工程で除去してもよいが、一工程で除去することが好ましい。
【００３９】
第１筒部３と第２筒部４が筒状カバー本体２から上方へ突出する形状となるように裁断することで、第１筒部３と第２筒部４を筒状カバー本体２に一体成形することができ、溶着箇所を減らすことができる。また、第１筒部３と第２筒部４の間の部分である中間部分１０１を除去することで第１筒部３と第２筒部４を形成することができるので、材料ロスも少なくなる。さらに、第１筒部３と第２筒部４の間に首掛け部５が位置しているので、除去すべき材料がより一層少なくなる。
【００４０】
また、裁断時には、素材シート１００の左端部及び右端部を裁断しない。これにより、素材シート１００の筒型形状を利用して筒状カバー本体２を得ることができるので、筒状カバー本体２を得るにあたり、左右両端部の溶着は不要である。よって、筒状カバー本体２の周囲に溶着等を施さなくても気密性の高い筒状構造が得られる。また、第１筒部３の左端部及び第２筒部４の右端部も溶着は不要である。
【００４１】
図５に示すように素材シート１００から中間部分１０１及び内側部分１０２を除去すると、第１筒部３の右端部に位置する２枚の樹脂製シートが非接合状態となって開放されるとともに、第２筒部４の左端部に位置する２枚の樹脂製シートも同様に開放される。さらに、筒状カバー本体２の上端部に位置する２枚の樹脂製シートも同様に開放される。以上が裁断工程である。尚、第１筒部３の指挿入口３ｃ及び第２筒部４の指挿入口４ｃ（図１に示す）は、裁断工程時に形成することができる。
【００４２】
裁断工程の後、溶着工程を行う。溶着工程では、従来周知の溶着機を用意する。溶着機としては、例えば卓上型シーラーやスタンド型シーラー等を挙げることができる。これらシーラーは、樹脂を溶融温度以上に加熱するためのヒータ、被溶着物を押さえて溶融させるための加熱部、加熱部を上下方向に移動させる可動部等を備えている。
【００４３】
素材シート１００をシーラーの押さえ部によって厚み方向に挟むことによって２枚の樹脂製シートを溶融させた後、素材シート１００をシーラーの押さえ部から離して冷却することで、２枚の樹脂製シートの溶着が可能になる。溶着条件等は、素材シート１００の素材や厚みに応じて任意に設定することができる。尚、この実施形態では、素材シート１００がポリスチレンであり、厚みは０．０２〜０．１０ｍｍ程度である。
【００４４】
素材シート１００は透光性を阻害しない程度に着色されている。素材シート１００の色としては、例えば青色、赤色等を挙げることができるが、これらに限られるものではなく、任意の色に着色することができる。素材シート１００が透光性を有していることで、飛沫拡散防止カバー１によって覆われた患者を医療従事者が外部から視認可能となる。
【００４５】
素材シート１００を着色しておくことで、溶着時あるいは溶着後の検査時に、２枚の樹脂製シートがきちんと重なっているか否かを容易に判別できる。すなわち、仮に、素材シート１００が無色透明であると、２枚を重ねたとしても色の濃さに殆ど差が無く、１枚であるのか、２枚であるのか判別しづらいが、素材シート１００が着色されていることで、２枚が重なっていれば１枚の場合に比べて色が濃く見える。この色の濃さを利用し、色が濃ければ２枚の樹脂製シートがきちんと重なっていると判別する一方、色が薄ければ２枚の樹脂製シートが重なっていないと判別できる。よって、不良品の検査精度が向上する。尚、素材シート１００は無色透明であってもよい。
【００４６】
溶着工程を行うことで、図１に示すように、左側溶着部３０、右側溶着部４０、中間溶着部５０及び上側溶着部５１が形成されるので、第１筒部３及び第２筒部４が筒状になるとともに、筒状カバー本体２が袋状になり、さらに、首掛け部５の上部を構成している２枚の樹脂製シートを重合して一体にまとめることができる。
【００４７】
（飛沫拡散防止カバーの使用方法）
次に、飛沫拡散防止カバー１の使用方法について説明する。飛沫拡散防止カバー１は、製造会社から図３に示すように、第１筒部３及び第２筒部４が裏返しされて筒状カバー本体２内へ押し込まれた状態で医療施設へ納品される。この納品状態では第１筒部３及び第２筒部４が筒状カバー本体２内に収容された状態になっている。このとき、首掛け部５は筒状カバー本体２の外部に位置している。
【００４８】
このような状態の飛沫拡散防止カバー１の首掛け部５に、図６に示すように、医療従事者Ｙの頭を通し、首掛け部５を医療従事者Ｙの首に掛ける。これにより、飛沫拡散防止カバー１を首に吊った状態にすることができる。その後、医療従事者Ｙの右手（右腕）を第１筒部３に挿入するとともに左手（左腕）を第２筒部４に挿入する。次に、両手を使って右手の指を指挿入口３ｃに、左手の指を指挿入口４ｃにそれぞれ挿入する。これにより、第１筒部３及び第２筒部の先端部が腕の上の方へ上がってくるのを抑制することができる。そして、左右の手は第１筒部３及び第２筒部４から出しており、筒状カバー本体２内で自由に動かすことが可能である。また、医療従事者Ｙは、手袋３００を装着しておく。この手袋３００は、例えば第１筒部３及び第２筒部４の先端部に一体成形しておいてもよい。これにより、手袋３００と第１筒部３との間、手袋３００と第２筒部４との間からのウイルスの侵入を抑制することができる。
【００４９】
また、図７に示すように、使用時には飛沫拡散防止カバー１の筒状カバー本体２の開口部２ａから患者２００の顔を当該筒状カバー本体２内に入れる。この状態で、医療従事者Ｙは左右の手を筒状カバー本体２内で動かし、患者２００に対して各種処置を施すことができる。患者２００に対する処置としては、例えばＰＣＲ検査用の検査具を鼻腔や口腔へ入れて検体を採取する処置、気管チューブやファイバースコープを利用した処置等を挙げることができるが、これらに限られるものではなく、鼻や口を介して行われる各種処置であってもよい。
【００５０】
処置の際、患者２００の口及び鼻を筒状カバー本体２で覆うことができるので、患者２００が咳やくしゃみ、嘔吐等をしたとしても、その時に飛散される飛沫は筒状カバー本体２内に留まる。これにより、患者２００の口または鼻から飛散される飛沫の拡散が防止される。
【００５１】
また、処置の際、首掛け部５を医療従事者Ｙの首に掛けているので、筒状カバー本体２の上側を吊った状態にしておくことができ、医療従事者Ｙの手を動かすための空間を筒状カバー本体２内に形成できる。また、医療従事者Ｙとは別に補助者が患者２００に処置を行う場合には、筒状カバー本体２の開口部２ａから手を差し入れて各種処置を行うことができる。また、例えば医療機器や器具は、筒状カバー本体２の開口部２ａから入れることができるとともに、取り出すこともできる。よって、医療機器や器具を出し入れするための専用の開口部は不要である。
【００５２】
処置が終わると、医療従事者Ｙは、まず両手をカバー本体２の内部にある状態のままでカバー本体２を下方に強く引っ張り、首掛け部５に手を触れることなくこれを切断する。これは感染防御具使用の際に最も危険とされる脱衣時の感染を未然に防ぐために有効な手段である。そして、医療従事者Ｙは両手を第１筒部３及び第２筒部４から抜く。このとき、第１筒部３及び第２筒部４が図１に示すような形状、即ち、筒状カバー本体２から上へ延びる形状となるようにしながら、両手を抜く。これにより、飛沫が付着したおそれのある面を第１筒部３及び第２筒部４のそれぞれの内側にすることができる。
【００５３】
その後、例えば患者２００から抜管した器具等を筒状カバー本体２で包むようにしながら筒状カバー本体２を第１筒部３及び第２筒部４と共に丸めて廃棄ボックスに捨てる。これにより、器具を安全に廃棄処理できる。
【００５４】
尚、処置の際、患者２００の頭や首、両肩、胸を筒状カバー本体２内に入れてもよい。また、患者２００の姿勢は、寝た姿勢であってもよいし、座った姿勢であってもよい。また、患者２００は、例えば新型コロナウイルスやインフルエンザウイルス等の感染症の発症した患者や、ウイルスを保有しているが症状が出ていない潜在的な患者等である。また、飛沫拡散防止カバー１は、患者２００以外にも健常者に対して各種検査や処置を施す際に使用することもできる。
【００５５】
（実施形態の作用効果）
以上説明したように、この実施形態によれば、筒状カバー本体２の開口部２ａから人の頭や顔を入れると、筒状カバー本体２が柔軟な樹脂材で構成されているので、開口部２ａを閉じるように変形させることができ、これにより、口や鼻から飛散した飛沫が開口部２ａから外部へ拡散されにくくなる。また、筒状カバー本体２によって覆われている患者２００の顔に対して医療従事者Ｙが何らかの処置を行う際、手を第１筒部３及び第２筒部４に挿入して筒状カバー本体２内で患者２００に各種処置を行うことができる。この処置の際には飛沫が飛散することがあるが、処置は全て筒状カバー本体２内で行われているので外部への拡散が抑制される。また、コストを抑えつつ、様々な大きさの手を持つ医療従事者Ｙの業務の質を落とさないようにすることができる。
【００５６】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５７】
以上説明したように、本発明に係る飛沫拡散防止カバーは、例えば各種医療処置を行う際に患者に対して使用することができる。
【符号の説明】
【００５８】
１              飛沫拡散防止カバー
２              筒状カバー本体
２ａ            開口部
３              第１筒部
３ｃ            指挿入孔
４              第２筒部
４ｃ            指挿入孔
５              首掛け部
【要約】
【課題】低コストで、かつ、様々な姿勢の人に対して使用可能であるとともに、飛沫の拡散を防止可能な飛沫拡散防止カバーを提供する。
【解決手段】透光性を有する柔軟な樹脂材が予め筒状に成形されたシート材によって筒状カバー本体２を構成する。筒状カバー本体２には、医療従事者Ｙの手を挿入可能な第１筒部３及び第２筒部４が設けられている。第１筒部３及び第２筒部４は、筒状カバー本体２と共に一体成形されている。
【選択図】図７【図１】
0006856207.tif 000002
【図２】
0006856207.tif 000003
【図３】
0006856207.tif 000004
【図４Ａ】
0006856207.tif 000005
【図４Ｂ】
0006856207.tif 000006
【図５】
0006856207.tif 000007
【図６】
0006856207.tif 000008
【図７】
0006856207.tif 000009